(57)【要約】【課題】本発明は、ケーブル用コネクタに関し、ケーブルの心線をコンタクトにハンダ付けする際に、当該心線のばらつきを防止して、ハンダ接続を確実にして、その接続性能を安定したものにすることが課題である。【解決手段】プリント基板に表面実装されるレセプタクルコネクタと、該レセプタクルコネクタに前記プリント基板の垂直方向から嵌合されケーブルを雄コンタクトに半田付けして併設するプラグコネクタとでなるケーブル用コネクタ１において、前記プラグコネクタの雄コンタクトは４、ケーブル８の心線と半田付けされる部分７に対して前記レセプタクルコネクタの雌コンタクトと接続される部分４ａが、前記ケーブルの心線の延長方向において存在しないように、当該心線１５の延長方向に直交する方向にオフセットされているケーブル用コネクタ１とする。【選択図】図１
2005322461.tif 000002
【特許請求の範囲】
【請求項１】
プリント基板に表面実装されるレセプタクルコネクタと、該レセプタクルコネクタに前記プリント基板の垂直方向から嵌合されケーブルを雄コンタクトに半田付けして併設するプラグコネクタとでなるケーブル用コネクタにおいて、
前記プラグコネクタの雄コンタクトは、ケーブルの心線と半田付けされる部分に対して前記レセプタクルコネクタの雌コンタクトと接続される部分が、前記ケーブルの心線の延長方向において存在しないように、当該心線の延長方向に直交する方向にオフセットされていること、
を特徴とするケーブル用コネクタ。
【請求項２】
プラグコネクタのハウジングにおいて、ケーブルの雄コンタクトとの接続部分の心線を延長した前壁部分には当該心線を外部に挿通させるための溝が設けられていること、
を特徴とする請求項１に記載のケーブル用コネクタ。
【請求項３】
前壁部分の溝の底面の高さ位置は、雄コンタクトに半田付けしたケーブルの心線の延長上の下位置とほぼ同じ位置であること、
を特徴とする請求項２に記載のケーブル用コネクタ
【請求項４】
複数のコンタクトをハウジングに併設させてなるプラグコネクタに、ケーブルの端部被覆を剥がして心線を露出させたケーブルを整線して載置し、前記コンタクトの一部に前記心線を半田付けして形成するケーブルアッセンブリ方法において、
前記心線は余長部分を含んで端部被覆を剥がされ、
前記プラグコネクタのコンタクトとの半田付け作業の際に該心線がその余長部分を前記ハウジングの外に突出させるとともに、整線された状態で半田付けされ、
その後、当該心線の余長部分が切断手段で切断されること、
を特徴とするケーブルアッセンブリ方法。
【請求項５】
コンタクトとの半田付け作業の際に、心線が整線され且つ該心線の軸心方向に引張られた状態にされること、
を特徴とする請求項４に記載のケーブルアッセンブリ方法。
【発明の詳細な説明】
【技術分野】
【０００１】
本発明は、例えば、携帯電話に使用される同軸ケーブル又はその他のケーブル用コネクタとそのケーブルアッセンブリ方法に関するものである。
【背景技術】
【０００２】
従来、例えば、図７に示すように、例えば、ノート型パソコンや折り畳み式の携帯電話１１においては、液晶表示部１１ａとキーボードや操作部のある本体部１１ｂとを電気的に接続するために、図８に示すように、ヒンジ部１１ｃにおいて主にフレキシブルなフラットケーブル１２が使用されている（特許文献１参照）。
【特許文献１】特開平２００３−４６２７５号公報
【０００３】
前記携帯電話１１等の機能が多機能化して、前記液晶表示部１１ａがヒンジ部１１ｃで折り畳まれるとともに、更に、ヒンジ部１１ｃの軸芯に直交する軸芯ｂの周りに回転するものがある。このような機構においては、機器の小型化により回転部分のヒンジが細径化されたことにより、アッセンブリされたフラットケーブル及びコネクタを通過させる事ができないので、極細線同軸ケーブルを使用することで前記ヒンジ部１１ｃを通過させて、自由に回転させることができるようにしている。
【０００４】
そこで、前記極細線の同軸ケーブルをコネクタに半田付けにより接続する作業においては、図９（Ａ），（Ｂ）に示すように、同軸ケーブルのサブアッセンブリ１０を形成する。このサブアッセンブリ１０は、ラミネートフィルム１３の上に極細線の同軸ケーブル１４を所定のピッチに整列させ、前記同軸ケーブル１４の両端部の所用長さ分をの被覆を剥がして、ケーブル１４の心線１５を露出させてある。また、同軸ケーブル１４のシールド用の編組網線を露出させ、ケーブル長手方向に直交する横方向に連結させてグランドバー１６が半田付けされている。前記心線１５の両端部は、整列用治具１７で前記所定のピッチで把持されている。
【０００５】
そして、図９（Ｂ）に示すように、前記心線１５において、接続作業のために、所定の長さａにカットする。そして、図１０に示すように、接続用のコネクタ１８の併設させたコンタクトにハンダ線１８ａを乗せて、前記カットしたサブアッセンブリ１０を乗せる。その後、図１１に示すように、ハンダ接続機の受台１９の上において、クランプ２０で前記サブアッセンブリ１０を固定する。
【０００６】
前記パルスヒート機により、コンタクトに心線１５を半田付けする作業が終了した後、図１２に示すように、シェル２１をコネクタ１８に被せて半田付けで固定する。こうして、同図（Ｃ）に、ハーネス２２が完成する。
【発明の開示】
【発明が解決しようとする課題】
【０００７】
しかしながら、サブアッセンブリ１０の複数の心線１５を治具で纏めてカットすると、図１３（Ａ），（Ｂ）に示すように、長短（心線１５ａ，１５ｂ）があったり、横に曲がったり（心線１５ｃ，１５ｄ）する。このように、カッテング作用により心線１５が踊ることがある。
【０００８】
この不都合を解消するには、例えば、露出させた心線１５をの端部を前記整列治具１７で整列させた状態のまま、前記受台１９に載置して半田付けするようにできれば良い。しかし、図１４に示すように、前記心線１５の先には、コネクタ１８の前壁１８ｂがあり、そこにはコンタクト２３の前端部２３ａが存在している。このコンタクト２３は、図１５に示すように、プリント基板上に実装して低背化及び補強させるために、図示する形状にしたものである。
【０００９】
このように、コンタクト１８の前壁１８ｂと、コンタクト２３の前端部２３ａが邪魔をして、心線１５を整列治具で整列させた状態で半田付けすることができないという課題がある。
【課題を解決するための手段】
【００１０】
本発明に係るケーブル用コネクタの要旨は、プリント基板に表面実装されるレセプタクルコネクタと、該レセプタクルコネクタに前記プリント基板の垂直方向から嵌合されケーブルを雄コンタクトに半田付けして併設するプラグコネクタとでなるケーブル用コネクタにおいて、前記プラグコネクタの雄コンタクトは、ケーブルの心線と半田付けされる部分に対して前記レセプタクルコネクタの雌コンタクトと接続される部分が、前記ケーブルの心線の延長方向において存在しないように、当該心線の延長方向に直交する方向にオフセットされていることである。
【００１１】
前記プラグコネクタのハウジングにおいて、ケーブルの雄コンタクトとの接続部分の心線を延長した前壁部分には当該心線を外部に挿通させるための溝が設けられていること、；
更に、前記前壁部分の溝の底面の高さ位置は、雄コンタクトに半田付けしたケーブルの心線の延長上の下位置とほぼ同じ位置であること、；
を含むものである。
【００１２】
本発明特定事項に係るケーブルアッセンブリ方法の要旨は、複数のコンタクトをハウジングに併設させてなるプラグコネクタに、ケーブルの端部被覆を剥がして心線を露出させたケーブルを整線して載置し、前記コンタクトの一部に前記心線を半田付けして形成するケーブルアッセンブリ方法において、前記心線は余長部分を含んで端部被覆を剥がされ、前記プラグコネクタのコンタクトとの半田付け作業の際に該心線がその余長部分を前記ハウジングの外に突出させるとともに、整線された状態で半田付けされ、その後、当該心線の余長部分が切断手段で切断されることである。
更に、前記コンタクトとの半田付け作業の際に、心線が整線され且つ該心線の軸心方向に引張られた状態にされること、；
を含むものである。
【発明の効果】
【００１３】
本発明のケーブル用コネクタとケーブルアッセンブリ方法によれば、ケーブルをコンタクトに半田付けする際に、被覆を剥がされた心線が整線された状態でプラグコネクタに載置されるようになり、半田付けが確実に行われるようになる。
【００１４】
前記ケーブル用コネクタにより、心線の余長部分をハウジングの外に突出させて、整線治具等で引っ張って、心線を整線させることが可能となる。
心線をコンタクトに半田付けした後に、その余長部分をカットするので、心線の踊りによる、長短や曲がりの不良原因が解消され、半田付け不良を生じさせないものである。
【発明を実施するための最良の形態】
【００１５】
本発明に係るケーブル用コネクタ１は、図１に示すように、プリント基板２に表面実装されるレセプタクルコネクタ３と、該レセプタクルコネクタ３に前記プリント基板２の垂直方向から嵌合され、例えば、極細線の同軸ケーブル等であるケーブル８を雄コンタクト４に半田付けして併設するプラグコネクタ５とでなる。
【００１６】
前記プラグコネクタ５の絶縁性ハウジング５ａに埋設されている雄コンタクト４は、その前端部４ａが上下方向において下から上に起立され、レセプタクルコネクタ３の雌コンタクト６の接触部６ａと弾性的に当接している。
【００１７】
前記プラグコネクタ５の雄コンタクト４は、図２乃至図３に示すように、ケーブルの心線１５と半田付けされる部分７に対して前記レセプタクルコネクタ３の雌コンタクト６と接続される部分である接続部６ａが、前記ケーブルの心線１５の延長方向において存在しないように、当該心線１５の延長方向に直交する方向（左右方向）にオフセットされている。
【００１８】
また、前記プラグコネクタ５のハウジング５ａにおいて、ケーブル８の雄コンタクト４との半田付けによる接続部分７の心線１５を延長した前壁部分５ｂには、当該心線１５を外部に挿通させるための溝５ｃが設けられている。要は、前記心線１５の余長部分１５ｅを外部に挿通させるために空所となっていればよいのである。
【００１９】
そして、前壁部分５ｂの溝５ｃの底面の高さ位置は、図３に示すように、雄コンタクト４に半田付けしたケーブルの心線１５の延長上の下位置とほぼ同じ位置である。これにより、半田付け作業の際に、心線１５をほぼ水平に安定して載置することができる。
【００２０】
そして、ケーブル８の心線１５を整列治具１７等で整列させたままの状態で、複数本のケーブル８をプラグコネクタ５のハウジング５ａに載置することができる。
【００２１】
前記雄コンタクト４は、図４乃至図６に示すように、金属製薄板を打ち抜いて、金型ででブランク曲げして、オフセット量ａ（図６（Ｃ）参照）にして形成し、図５に示すように、点線部分のキャリア部４ｂ，４ｃをカットするものである。
【００２２】
このようにして、本発明に係るケーブル用コンタクト１を形成する。そして、これにケーブル８を接続してアッセンブリを形成する方法について説明する。
まず、サブアッセンブリとして、従来例でも説明したように、極細線の同軸ケーブルである複数のケーブル８をラミネートフィルム１３上で整列させる。その端部にて、被覆を剥がして心線１５を露出させ、編組網線にグランドバー１６を半田付けし、整列治具１７を前記心線１５の端部に取着する。この際に、前記心線１５の長さは、余長部分１５ｅを含む長さにする（図３参照）。
【００２３】
次に、ハンダ接続機の受台１９（図１１参照）に、前記ケーブル用コネクタ１のプラグコネクタ５をセットして、コンタクト４の接続部４ｄにハンダ線を乗せる。更に、その上に前記サブアッセンブリのケーブル８における心線１５をセットする。
【００２４】
前記グランドバー１６を、プラグコネクタ５の嵌合部５ｄに嵌合させ、図３に示すように、心線１５の余長部分１５ｅを溝５ｃに挿通させてハウジング５の前壁部分５ｂの外部に引き出し、整理治具１７等により該心線１５の軸心方向に引張られた状態にする。ケーブル８をクランプ２０で固定する
【００２５】
そして、前記ハンダ接続機により前記ハンダを溶かして半田付けする。その後、当該心線１５の余長部分１５ｅが切断手段で切断される。その後は、従来例と同様にしてシェル２１を被せて図１２に示すように、ハーネス２２を完成する。こうして、本発明特定事項に係るケーブルアッセンブリ方法では、半田付けする際に、心線１５が、カット作業によりばらけることなく、軸線方向に引っ張られた整列状態で半田付けされる。よって、心線１５の長短や曲がりなどの不具合が生じることがないのである。
【図面の簡単な説明】
【００２６】
【図１】本発明に係るケーブル用コネクタ１の断面図である。
【図２】同本発明のケーブル用コネクタ１における、ハウジング５の平面図（Ａ）と、正面図（Ｂ）である。
【図３】同ケーブル用コネクタ１のハウジング５の図２（Ａ）におけるＡ−Ａ線に沿った断面図に、ケーブル８を載置した様子を示す説明図である。
【図４】同ケーブル用コネクタ１における雄コンタクト４の製造工程を示す平面視説明図である。
【図５】同コンタクト４の正面図である。
【図６】同コンタクト４の平面図（Ａ）、正面図（Ｂ）、Ｂ−Ｂ線に沿った断面図（Ｃ）である。
【図７】携帯電話の斜視図である。
【図８】同ヒンジ部の拡大詳細斜視図である。
【図９】ケーブル１４のサブアッセンブリ１０を示す平面図（Ａ）と、一部拡大図（Ｂ）である。
【図１０】ケーブル１４のアッセンブリ工程の一部を示す説明図である。
【図１１】同ケーブル１４のアッセンブリ工程における、ハンダ接続機にケーブル及びコネクタを載置した状態を示す説明図である。
【図１２】同コネクタにケーブル１４を半田付けした後にシェル２１を取り付ける様子を示す説明図８Ａ），（Ｂ）である。
【図１３】同従来例に係るケーブル１４のアッセンブリ１０において、心線１５の不具合を示す説明図（Ａ），（Ｂ）である。
【図１４】同従来例に係るケーブル用コネクタにおけるプラグコネクタの一部平面図（Ａ）と、正面図（Ｂ）と、Ｃ−Ｃ線に沿った断面図にサブアッセンブリ１０を載置した状態の断面図である。
【図１５】同従来例に係るケーブル用コネクタにおけるコンタクト２３の平面図（Ａ）と、正面図（Ｂ）である。
【符号の説明】
【００２７】
１          ケーブル用コネクタ、
２          プリント基板、
３          レセプタクルコネクタ、
４          雄コンタクト、              ４ａ        前端部、
４ｂ，４ｃ  キャリア部、
４ｄ        接続部、            
５          プラグコネクタ、            ５ａ        ハウジング、
５ｂ        前壁部分、                  ５ｃ        溝、  
６          雌コンタクト、              ６ａ        接続部、
７          半田付けされる部分、        
８          ケーブル、
１０        サブアッセンブリ、
１５        心線、 
１５ａ，１５ｂ，１５ｃ，１５ｄ          長短及び横に曲がった心線、
１５ｅ      余長部分、
１６        グランドバー、
１７        整列治具、
１８        コネクタ、  
１９        受台、
２０        クランプ、
２１        シェル、
２２        ハーネス。
【図１】
2005322461.tif 000003
【図２】
2005322461.tif 000004
【図３】
2005322461.tif 000005
【図４】
2005322461.tif 000006
【図５】
2005322461.tif 000007
【図６】
2005322461.tif 000008
【図７】
2005322461.tif 000009
【図８】
2005322461.tif 000010
【図９】
2005322461.tif 000011
【図１０】
2005322461.tif 000012
【図１１】
2005322461.tif 000013
【図１２】
2005322461.tif 000014
【図１３】
2005322461.tif 000015
【図１４】
2005322461.tif 000016
【図１５】
2005322461.tif 000017